(57)【要約】【課題】指圧法のように優しく且つ効果的に所望箇所のマッサージを行うことができるマッサージ装置を提供する。【解決手段】マッサージ装置１において、施療部３が、可撓性を有する材質から成る板状の基板４と、この基板４の面に対して交差する方向である下方に突出して設けられた複数の第一の突起５とを備える。前記基板４の最大振幅部における振幅方向を中心軸線Ｘとしたとき、前記第一の突起５における中心軸線Ｘに対向する対向面２０は、その先端２１側が先細であると共に基端２２側が次第に幅大となるほぼ三角形状に形成される。そして、マッサージの際に、前記第一の突起５の対向面２０と頭皮Ｓとの接触部位が、幅狭の先端２１側と幅広の基端２２側との間で移ることにより、指先によるマッサージと同様な揉みを行うことができる。【選択図】図２
2007229159.tif 000002
【特許請求の範囲】
【請求項１】
駆動部と、この駆動部によって動作する施療部とを有するマッサージ装置において、前記施療部が、可撓性を有する材質からなる板状の基板と、この基板の面に対して交差する方向に突出して設けられた複数の突起とで構成され、前記駆動部側に、前記施療部の基板の周縁を前記駆動部に対する位置関係がほぼ固定された状態で保持される枠体を設けると共に、前記駆動部に、前記基板の面と交差する方向にこの基板を撓ませる往復駆動手段を設けたマッサージ装置であって、前記基板の最大振幅部における振幅方向を中心軸線としたとき、前記複数の突起が、前記中心軸線に対向して先端側が先細で且つ前記基板に接続される基端側が次第に幅大となるようにほぼ三角形状に形成された対向面を設けた第一の突起を有することを特徴とするマッサージ装置。
【請求項２】
前記対向面が、その基端側よりも先端側が前記中心軸線より離間するように湾曲凸状に後退していることを特徴とする請求項１記載のマッサージ装置。
【請求項３】
前記第一の突起が前記中心軸線を中心として相互に対向するように複数間隔をおいて設けられていることを特徴とする請求項１または２記載のマッサージ装置。
【請求項４】
前記第一の突起の内側に中空部が形成されると共に、この中空部と外部を接続する連通部を前記対向面に設けたことを特徴とする請求項１〜３のいずれか１項に記載のマッサージ装置。
【請求項５】
前記突起が前記対向面の左右両側にそれぞれ側面を一体に設けたほぼ三角錐状であることを特徴とする請求項１〜４のいずれか１項に記載のマッサージ装置。
【請求項６】
前記基板の周辺部に、前記第一の突起よりも高く形成された第二の突起を設けたことを特徴とする請求項１〜５のいずれか１項に記載のマッサージ装置。
【発明の詳細な説明】
【技術分野】
【０００１】
本発明は、洗髪時等における頭皮のマッサージや揉み出し洗い等に使用するマッサージ装置に関するものである。
【背景技術】
【０００２】
従来、この種ものとして、例えば、モータを内蔵したケーシングに弾性部材を介して振動ヘッドを設け、該振動ヘッド内に前記モータのモータ軸を突設させ、該モータ軸に振動子を偏心して取り付け、さらに、前記振動ヘッドの一側面に柔軟物質から成るブラシを取り付けたマッサージ兼電動洗髪ブラシが公知である（例えば特許文献１）。このマッサージ兼電動洗髪ブラシにおいては、柔軟物質から構成される前記ブラシは円盤状に形成された基板としてのブラシ本体部と、該ブラシ本体部の一側面に多数突設された突起としての針状体片とから成り、モータを作動させることで、前記振動ヘッドに内蔵されている振動子の偏心回転によって生じる振動が、前記振動ヘッド及びブラシを介して頭皮に伝達される。そして、前記ブラシは柔軟物質から構成されているので、頭皮を傷付けることなく毛穴の脂垢を取り除き、同時にマッサージを行うというものである。
【特許文献１】特開２００１−２５８９７４号公報
【発明の開示】
【発明が解決しようとする課題】
【０００３】
しかしながら、従来技術においては、前記振動ヘッドに内蔵されている振動子の偏心回転によって生じる振動が、前記振動ヘッド及び柔軟物質から構成されている前記ブラシを介して頭皮等に伝達されるというものであり、前記ブラシは頭皮等に対して単純に振動しているだけなので、マッサージを十分に行うことができないばかりでなく、頭皮の汚れも十分落とすことができないという問題があった。
【０００４】
このような問題を解決するものとして、同一出願人はマッサージ装置を提案している（特願２００４−３６０４８９）。これは、駆動部と、前記駆動部によって動作する施療部とを有するマッサージ装置において、前記施療部が、可撓性を有する材質から成る板状の基板と、この基板の面に対して交差する方向に突出して設けられた複数の突起とで構成され、前記駆動部に、前記施療部の基板の周縁を前記駆動部に対する位置関係がほぼ固定された状態で保持される枠体を設けると共に、前記駆動部に、前記基板の面と交差する方向にこの基板を撓ませる往復駆動手段を設け、前記基板の中央部を、往復駆動手段によって前記基板の面と交差する方向に撓ませることで、前記複数の突起を繰り返し相互に開閉させるというものである。
【０００５】
ところで、洗髪時における頭皮のマッサージの理想的な方法として、指圧法が知られている。これは所望箇所を指先で揉み叩きなどして神経を刺激し、血行を盛んにする方法である。
【０００６】
同一出願人による前述のマッサージ装置の提案にあっては、突起が先細形状であったので、指先による指圧法のような理想的なマッサージ方法には対応することができにくいという懸念があった。
【０００７】
本発明は、マッサージ等を行う場合に、指圧法のように優しく且つ効果的に所望箇所のマッサージ等を行うことができるマッサージ装置を提供することを目的とする。
【課題を解決するための手段】
【０００８】
請求項１の発明は、駆動部と、この駆動部によって動作する施療部とを有するマッサージ装置において、前記施療部が、可撓性を有する材質からなる板状の基板と、この基板の面に対して交差する方向に突出して設けられた複数の突起とで構成され、前記駆動部側に、前記施療部の基板の周縁を前記駆動部に対する位置関係がほぼ固定された状態で保持される枠体を設けると共に、前記駆動部に、前記基板の面と交差する方向にこの基板を撓ませる往復駆動手段を設けたマッサージ装置であって、前記基板の最大振幅部における振幅方向を中心軸線としたとき、前記複数の突起が、前記中心軸線に対向して先端側が先細で且つ前記基板に接続される基端側が次第に幅大となるようにほぼ三角形状に形成された対向面を設けた第一の突起を有することを特徴とするマッサージ装置である。
【０００９】
請求項２の発明は、前記対向面が、その基端側よりも先端側が前記中心軸線より離間するように湾曲凸状に後退していることを特徴とする請求項１記載のマッサージ装置である。
【００１０】
請求項３の発明は、前記第一の突起が前記中心軸線を中心として相互に対向するように複数間隔をおいて設けられていることを特徴とする請求項１または２記載のマッサージ装置である。
【００１１】
請求項４の発明は、前記第一の突起の内側に中空部が形成されると共に、この中空部と外部を接続する連通部を前記対向面に設けたことを特徴とする請求項１〜３のいずれか１項に記載のマッサージ装置である。
【００１２】
請求項５の発明は、前記突起が前記対向面の左右両側にそれぞれ側面を一体に設けたほぼ三角錐状であることを特徴とする請求項１〜４のいずれか１項に記載のマッサージ装置である。
【００１３】
請求項６の発明は、前記基板の周辺部に、前記第一の突起よりも高く形成された第二の突起を設けたことを特徴とする請求項１〜５のいずれか１項に記載のマッサージ装置である。
【発明の効果】
【００１４】
請求項１の発明によれば、マッサージの際に、前記第一の突起と頭皮等との接触にあっては、前記第一の突起の対向面における頭皮等と接触する部位が、幅狭な先端側と幅広の基端側との間で移動することで、指先で行うようなマッサージ等を行うことができる。
【００１５】
請求項２の発明によれば、前記第一の突起の対向面が、頭皮などとの接触においてなだらかに形成された先端側から基端側の間を滑るように移動できる。
【００１６】
請求項３の発明によれば、前記中心軸線を中心として相互に対向している前記第一の突起同士で頭皮を挟むようにしてマッサージを行うことができる
請求項４の発明によれば、前記中空部の圧縮変形により前記連通部を介して頭皮に空気を吹き付けることで、空気圧によるマッサージ作用もなすことができる。
【００１７】
請求項５の発明によれば、前記側面により前記第一の突起が所定の強度を確保することができる。
【００１８】
請求項６の発明によれば、前記第二の突起が前記基板の周辺部に設けられていることで、前記基板の撓みによって前記第二の突起が殆ど動かないので、この第二の突起によって前記駆動部と頭皮との間隔が保たれ、これによって、前記第一の突起によるマッサージが良好に行われる。
【発明を実施するための最良の形態】
【００１９】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２０】
図１〜図５は実施例１を示している。１はマッサージ装置であり、このマッサージ装置１は、駆動部としてのマッサージ装置本体２と、その下部側に着脱自在に設けられた施療部３とを有している。そして、この施療部３は、基板４と、この基板４の下面に該下面と交差する方向である下方側に突出して一体に設けられた３種類の突起５，６，７とで構成されている。前記基板４は、平面視で楕円状であって、可撓性を有する軟質合成樹脂によって形成されている。そして、この基板４の縁４Ａは、マッサージ装置本体２の下縁側にほぼ固定されている。このほぼ固定は、固着或いは多少の動きを許容して固定するものであり、実施例では基板４の縁４Ａを、マッサージ装置本体２の下面に沿って形成した溝よりなる固定用の枠体８に嵌合させることで、両者を全周にわたって着脱自在に接続している。
【００２１】
マッサージ装置本体２の下部には、平面視で楕円状の底板９が固定されていると共に、この底板９の中央部には上下方向を貫通する円形の窓孔１０が形成されており、この窓孔１０を覆って伸縮可能な覆い体１１が設けられている。この覆い体１１は、例えばゴム或いは合成ゴムや軟質合成樹脂等の可撓性を有する蛇腹状板材によって、前記窓孔１０を封ずるように設けられている。そして、前記マッサージ装置本体２の内部には、前記基板４の中央部を上下方向に往復動させる往復駆動手段１２が設けられている。この往復駆動手段１２は、前記底板９上に設けられる駆動源としてのモータ１３と、このモータ１３のモータ軸１３Ａに減速歯車機構１４を介して接続されるクランク機構１５と、このクランク機構１５の偏心軸１５Ａに対して一側が回動自在に連結されると共に、他側が前記基板４の上面のほぼ中央に対して揺動自在に連結されたリンク棒のようなコンロッド１６を備えている。尚、前記覆い体１１のほぼ中央には接続中継部材１７が一体的に設けられている。この接続中継部材１７は、その上面側に前記コンロッド１６の他側を接続すると共に、下面側にフック１７Ａが設けられており、このフック１７Ａに前記基板４中央の上面に設けた鉤形状のフック受け部４Ｂが着脱自在に接続されている。従って、前記接続中継部材１７は、前記クランク機構１５を介して前記モータ１３の回転作動に伴って上下往復運動を行うようになっている。これにより、前記フック受け部４Ｂが設けられた位置が、振幅が２Ｆとなる前記基板４における最大振幅部となり、前記フック受け部４Ｂ及び接続中継部材１７を通って上下方向に中心軸線Ｘが形成される。また、前記マッサージ装置本体２の内部には、前記モータ１３用の電池１８が設けられており、さらに、前記マッサージ装置本体２の上面側表面には前記モータ１３用のスイッチ１９が設けられている。
【００２２】
前記施療部３について詳述する。前記突起５，６，７は、前記基板４のほぼ中央を上下に通る前記中心軸線Ｘを中心として、前記基板４の縁４Ａに沿って配置される楕円状の仮想外側輪Ｏと、その内側に配置されるほぼ円状の仮想内側輪Ｉと、これらの間に配置されるほぼ円状の仮想中間輪Ｍにそれぞれ設けられている。
【００２３】
前記仮想中間輪Ｍに沿って相互に間隔をおいて設けられる第一の突起５は、中心軸線Ｘを中心として相互に対向するように複数間隔をおいて設けられている。なお、本例において、前記第一の突起５は、円弧状に三つ並んだ群を軸対称となるように二個所に設けることで、合計六つ設けられている。そして、一方に三つ並んだ群の第一の突起５Ａは、中心軸線Ｘを挟んで他方に三つ並んだ群の対向する第一の突起５Ｂに対向している。そして、前記第一の突起５における前記中心軸線Ｘに面する対向面２０は、その先端２１が先細に形成されると共に、その基端２２に向かって次第に幅Ｗが大きくなるように形成されて前記基板４に一体に接続されていることで、前記対向面２０は、先端２１から基端２２にかけてほぼ三角形状に形成されている。そして、前記対向面２０は、その基端２２側よりも先端２１側が前記中心軸線Ｘからの距離Ｌが長くなるように、湾曲凸状に後退している。なお、前記第一の突起５における前記対向面２０の最大幅は、ほぼ手指の幅程度に形成され、さらに、前記対向面２０の最大高さは手指の先から第１関節までの長さにほぼ相当している。
【００２４】
さらに、前記第一の突起５は、その対向面２０の左右両側にそれぞれ側面２３を一体に設けたほぼ三角錐状となって突設しており、そして前記第一の突起５は、板状の前記基板４の厚みとほぼ同じ厚みによって凸状に一体成形されたものであり、このために、前記第一の突起５の内部には中空部２４が形成されると共に、この中空部２４の上部には開口部２４Ａが設けられ、この上部開口部２４Ａを介して前記中空部２４が前記基板４の上方、すなわちこの基板４と前記底板９の間の空間に連通するようになっている。一方、前記第一の突起５の対向面２０の先端２１寄りには、横長の連通部２５が貫通して形成されており、この連通部２５によって、前記中空部２４と前記第一の突起５の外部とが連通している。
【００２５】
また、前記仮想外側輪Ｏに沿って相互に間隔をおいて設けられる第二の突起６は、先端を丸くした円柱状であって、前記底板９側からの高さ距離Ｈ２が、前記第一の突起５における前記底板９側からの高さ距離Ｈ１よりも常時大きくなるように形成されている。すなわち、前記施療部３が図４の状態と図５の状態との間で変形することで、前記第一の突起５が上下に移動したとしても、前記第二の突起６は、その先端が前記第一の突起５の最も下位置となる位置よりも常時下方に位置するように形成されている。また、前記第二の突起６におけるその一本当たりの平面積は、前記第一の突起５の平面積よりも小さく形成されている。尚、複数本の前記第二の突起６からなる群が、平面が楕円形状の前記基板４における長軸方向の両側それぞれに配置されている。
【００２６】
更に、前記仮想内側輪Ｉに沿って相互に間隔をおいて設けられる第三の突起７は、先端を丸くした四角柱状であって、その前記基板４からの高さＨ３は、前記第一の突起５における前記基板４からの高さＨ１´よりも小さく形成されている。また、前記第二の突起６におけるその１本当たりの平面積は、前記第一の突起５の平面積よりも小さく形成されている。
【００２７】
次に、前記構成について、その作用を説明する。洗髪時等において頭皮Ｓのマッサージを行ったり揉み出し洗いを行ったりする場合、まず使用者は、前記マッサージ装置本体２を把持し、前記第一及び第二の突起５，６の先端部を前記頭皮Ｓに押し当てて手で保持する。次に、前記スイッチ１９を閉成すると、前記電池１８から電力が給電されることで、前記モータ１３が作動して前記モータ軸１３Ａが回転する。この回転に伴い、前記モータ軸１３Ａに前記減速歯車機構１４を介して接続された前記クランク機構１５が回転し、このクランク機構１５及びこのクランク機構１５の偏心軸１５Ａに連結された前記コンロッド１６によって、前記モータ軸１３Ａの回転運動が往復運動に変換され、前記コンロッド１６に連結された前記接続中継部材１７が上下に往復動する。そして、前記基板４は、前記接続中継部材１７に接続された前記フック受け部４Ｂ、すなわち前記基板４中央が最大振幅箇所となるように、図４に示す下に撓んだ湾曲凸状態と図５に示す上に撓んだ湾曲凹状態との間で変形を繰り返し、その前記最大振幅個所における振幅は、前記クランク機構の中心軸から偏心軸１５Ａまでの偏心距離Ｆの２倍（２Ｆ）となる。これにより、主として前記第一の突起５は、前記中心軸線Ｘを中心としてその内側方向に傾斜したり、或いはその後起立したりすることを繰り返すことで、前記頭皮Ｓを揉むようにしてマッサージを行うことができる。また、前記第三の突起７は、前記基板４の撓みによって、前記頭皮Ｓに対して当接と離間を繰り返すことで、前記頭皮Ｓを軽く叩くようにしてマッサージを行うことができる。
【００２８】
なお、前記第二の突起６は、前記基板４の外周付近で且つ楕円形状の前記基板４における長軸方向の両側に形成されているので、前記基板４が撓んだとしても、多少揺動する程度で殆ど動かない。しかしながら、この殆ど動かない第二の突起６自体はマッサージを殆ど行わないものの、この第二の突起６によって前記マッサージ装置本体２と頭皮Ｓとの間隔が保たれることになり、前記施療部３を頭皮Ｓに必要以上に強く押し当ててしまうことが防止される。そして、前記施療部３を頭皮Ｓに必要以上に強く押し当ててしまうと、前記基板４の撓みによる前記第一の突起５の起倒に伴う反作用によって、前記マッサージ装置本体２、ひいてはそれを持つ使用者の手が前記中心軸線Ｘ方向に大きく振動したり、逆に前記施療部３が押し当てられた頭が大きく揺さぶられたりすることになり、前記第一の突起５によるマッサージが良好に行われないが、前記第二の突起６によって前記マッサージ装置本体２と頭皮Ｓとの間隔が保たれることで、前記施療部３が頭皮Ｓに対して必要以上に強く押し当てられず、前記マッサージ装置本体２を持つ使用者の手及び前記施療部３が押し当てられた頭が大きく揺さぶられることがないので、前記第一の突起５によるマッサージが良好に行われることになる。
【００２９】
そして、前記基板４が図４の状態から図５の状態に変形する、すなわち前記基板４が湾曲凸状態から湾曲凹状態に撓むことで、前記第一の突起５が頭皮Ｓに当接した状態で内側に倒れることになり、前記第一の突起５によって前記頭皮Ｓが掴まれるようにマッサージされると同時に、洗髪剤等によって前記頭皮Ｓのみならず髪（図示せず）も洗浄されることになる。この際、前記第一の突起５の前記中心軸線Ｘに対向する対向面２０が、その先端２１側を先細に形成すると共に基端２２側を次第に幅大に形成したほぼ三角形状に形成されていることにより、図４の状態では、前記対向面２０の先端２１よりもやや基端２２寄りの部分が前記頭皮Ｓに柔らかく当たり、それから図５の状態に向かって変形するに従って、順次幅狭になる先端２１側が頭皮Ｓに当たるようになるので、指先で揉むような指圧法のマッサージを行うことができる。さらに、前記第一の突起５は、その基端２２側よりも先端２１側が前記中心軸線Ｘから離間するように湾曲凸状に後退していることにより、前記第一の突起５が内側方向に傾斜したり起立したりして前記頭皮Ｓと接触する際に、前記対向面２０が、その基端２２側から先端２１側にかけて頭皮Ｓを滑るように揉むことができる。また前記第一の突起５は、前記中心軸線Ｘを中心として相互に対向するように複数間隔をおいて設けられていることにより、対向する前記第一の突起５Ａ，５Ｂ相互間での揉み作用もなすことができる。更に、逆に前記基板４が図５の状態から図４の状態に変形する、すなわち前記基板が湾曲凹状態から湾曲凸状態に撓む場合でも、前記第一の突起５によって指先のような柔らかいマッサージを行うことができる。
【００３０】
また、前記基板４は、図４に示す下に撓んだ湾曲凸状態と図５に示す上に撓んだ湾曲凹状態との間で変形を繰り返す際、前記基板４と底板９の間の空間が圧縮、復元を繰り返すことになり、この結果、圧縮時においては前記基板４と底板９の間の空間の空気が前記連通部２５から頭皮Ｓに向けて噴出するので、この空気圧によってもマッサージを行うことができる。
【００３１】
以上のように、前記実施例おいては、駆動部としてのマッサージ装置本体２と、このマッサージ装置本体２によって動作する施療部３とを有するマッサージ装置１において、前記施療部３が、可撓性を有する材質からなる板状の基板４と、この基板４の面に対して交差する方向である下方に突出して設けられた複数の第一の突起５とを備え、前記マッサージ装置本体２と一体的に、前記施療部３の基板４の周縁４Ａを前記マッサージ装置本体２に対する位置関係がほぼ固定された状態で保持する枠体８を設け、前記マッサージ装置本体２内に、前記基板４の面と交差する上下方向にこの基板４を撓ませるクランク機構１５を設けた前記マッサージ装置１であって、前記基板４の最大振幅部となる中心部における振幅方向を中心軸線Ｘとしたとき、前記第一の突起５における中心軸線Ｘに対向する対向面２０を、その先端２１側が先細に形成されると共に基端２２側が次第に幅大となるほぼ三角形状に形成したことにより、マッサージの際に、前記第一の突起５の対向面２０における頭皮Ｓ等と接触する部位が、幅狭な先端２１側と幅広の基端２２側との間で移動することで、指先によるマッサージと同様な揉みを行うことができる。
【００３２】
さらに、前記対向面２０の基端２２側よりも先端２１側が中心軸線Ｘから離間するように湾曲凸状に後退していることにより、前記対向面２０における前記頭皮Ｓとの接触部位が、なだらかに形成された前記対向面２０の先端２１側と基端２２側の間を滑るように移動することができる。
【００３３】
また、前記第一の突起５Ａ，５Ｂは、中心軸線Ｘを中心として相互に対向するように複数間隔をおいて設けられていることにより、対向している前記第一の突起５Ａ，５Ｂ同士でも頭皮Ｓを挟むようにしてマッサージを行うことができる。
【００３４】
しかも、前記第一の突起５は、その内側に中空部２４を形成すると共に、この中空部２４と外部を接続する連通部２５を前記対向面２０に設けたことにより、前記基板４の湾曲凹凸状態の変形に伴って前記基板４上の空間が圧縮されると、この空間内の空気が前記連通部２５を通って頭皮Ｓに吹き付けられることで、空気圧によるマッサージ作用もなすことができる。
【００３５】
また、前記第一の突起５は、その対向面２０の左右両側にそれぞれ側面２３を一体に設けたほぼ三角錐状であることにより、側面２３が対向面２０の補強をするので、前記第一の突起５が頭皮Ｓに当接した際、簡単に潰れるようなことはなく、所定の強度を確保することができる。
【００３６】
更に、前記基板４の長径方向の両端側周辺部に、前記第一の突起５よりも高く形成された第二の突起６を複数設けたことにより、前記基板４の撓みによって前記第二の突起６が殆ど動かないので、この第二の突起６によって前記マッサージ装置本体２と頭皮Ｓとの間隔が保たれ、これによって、前記第一の突起５によるマッサージを良好に行うことができる。
【００３７】
なお、本発明のマッサージ装置は、以上の実施例に限定されるものではなく、発明の要旨の範囲内で種々の変形実施が可能である。例えば、上記実施例では、第一の突起がほぼ円周上に配列されているが、楕円周状に配列されるようにしてもよい。また、上記実施例では、往復駆動手段としてクランク機構を用いたが、これ以外の手段、例えばリニアモータや、ソレノイドと永久磁石からなる電磁往復駆動機構等を用いてもよい。更に、上記実施例では、前記連通部から空気が出入りすることでマッサージ作用を奏するが、前記マッサージ装置本体に薬剤等を貯めておくことで、マッサージと同時に前記第一の突起の先端近傍に設けられた連通部から直接頭皮に薬剤等が供給されるようにしてもよい。
【産業上の利用可能性】
【００３８】
以上のように本発明に係るマッサージ装置は、各種の用途に適用できる。
【図面の簡単な説明】
【００３９】
【図１】本発明の実施例１を示す断面図である。
【図２】本発明の実施例１を示す斜視図である。
【図３】本発明の実施例１を示す分解斜視図である。
【図４】本発明の実施例１を示す湾曲凸状態の基板まわりの断面図である。
【図５】本発明の実施例１を示す湾曲凹状態の基板まわりの断面図である。
【符号の説明】
【００４０】
１  マッサージ装置
２  マッサージ装置本体（駆動部）
３  施療部
４  基板
４Ａ  周縁
５  第一の突起
６  第二の突起
８  枠体
１２  往復駆動手段
２０  対向面
２１  先端
２２  基端
２４  中空部
２５  連通部
Ｘ  中心軸線
【図１】
2007229159.tif 000003
【図２】
2007229159.tif 000004
【図３】
2007229159.tif 000005
【図４】
2007229159.tif 000006
【図５】
2007229159.tif 000007
【手続補正書】
【提出日】平成18年8月11日(2006.8.11)
【手続補正１】
【補正対象書類名】明細書
【補正対象項目名】００２０
【補正方法】変更
【補正の内容】
【００２０】
図１〜図５は実施例１を示している。１はマッサージ装置であり、このマッサージ装置１は、駆動部としてのマッサージ装置本体２と、その下部側に着脱自在に設けられた施療部３とを有している。そして、この施療部３は、基板４と、この基板４の下面に該下面と交差する方向である下方側に突出して一体に設けられた３種類の突起５，６，７とで構成されている。前記基板４は、平面視で楕円状であって、可撓性を有する軟質合成樹脂によって形成されている。そして、この基板４の縁４Ａは、マッサージ装置本体２の下縁側にほぼ固定されている。この『ほぼ固定』とは、固着或いは多少の動きを許容して固定するものであり、実施例では基板４の縁４Ａを、マッサージ装置本体２の下面に沿って形成した溝よりなる固定用の枠体８に嵌合させることで、両者を全周にわたって着脱自在に接続している。